(57)【特許請求の範囲】
【請求項１】
筒状リールシート本体に設けた固定フード部と、該固定フード部と対向して移動フード部が配設され、該移動フード部はナット部の回動によって前後に移動可能に構成されており、
該ナット部はナット本体部と連結部材とを有し、ナット本体部の雌ねじ部よりも前記移動フード部寄りに延伸部が設けられ、該延伸部はその内面に係合用凹部を設け、該延伸部内面と前記筒状リールシート本体との間に空間を設けており、
該空間内には、半環状のばね部材が環状支持部材に保持されたユニット品が挿入配設されており、該ばね部材の凸部が前記係合用凹部を所定力で離脱可能に半径方向に押圧しつつ係合しており、
前記連結部材の一端部は前記移動フード部の端部に相対回転自在に係合し、他端部は前記延伸部の内面側に接着固定又は相対回転自在に係合され、該他端部と前記ナット本体部の雌ねじ部との間に前記ユニット品が配設されている
ことを特徴とするリール装着式釣竿。
【請求項２】
前記係合用凹部が金属製である請求項１記載のリール装着式釣竿。
【発明の詳細な説明】
【０００１】
【発明の属する技術分野】
本発明はリールを装着して釣りを行う釣竿に関する。
【０００２】
【従来の技術】
リールを使用する型の釣竿には、リールを固定するためにリール装着装置を設けている。このリール装着装置には、釣竿に対して固定される（或いは一体化されている）本体部と、対向した１対の開口を有する１対のフード部とが設けられている。この内少なくとも一方は移動式のフード部であり、ナット部材によって前後に移動させられ、リールの脚を押し付けて固定する。ところが釣りにおいてはこのリール装着装置に様々な力が作用するため、不用意に移動フード部が弛むことがある。これを防止するための工夫が、実開平２−３２５８号公報や特開平１０−５２１９５号公報に開示されている。
前者では、操作環に設けた係合突起をねじ部に設けた回り止め溝に係合させてねじ環（ナット部）の弛みを防止している。また後者では、移動シート部（移動フード部）とナット部との間に回り止め部材を配設してナット部の弛みを防止している。
【０００３】
【発明が解決しようとする課題】
然しながら、前者では不用意な弛みは防止されるが、リールを取外す場合には操作環を操作して係合突起の係合を外した上でねじ環を回転させなければならず面倒である。また、係合機構が外部に露出しており、外観が良くないと共に、ねじ部に砂等が侵入し易い。後者では、ナット部の弛みを防止するのに役立つが、所定以上の力が作用すれば弛み、この場合、係合の外れるクリック音に気付いてナット部を締め直せばよいが、このクリック音が小さ過ぎれば釣人は気付かず、そのまま釣りを行っていると投擲が不正確になったり、リールを落下させたりする。後者公報の構造では、回り止め部材は移動シート部とナット部との間に長手方向に設けられており、リール脚固定の反力を受けている移動シート部から常時押圧されている。このため、大きなクリック音が発生し難く、弛んだことに釣人が気付かないという不確実さがある。
【０００４】
依って本発明は、リール脚固定の不用意な弛みを防止すると共に外部から砂等の侵入を防止でき、もし弛んだ際にそのことを認識し易い構造のリール装着式釣竿を提供することを目的とする。
【０００５】
【課題を解決するための手段】
請求項１では、筒状リールシート本体に設けた固定フード部と、該固定フード部と対向して移動フード部が配設され、該移動フード部はナット部の回動によって前後に移動可能に構成されており、該ナット部はナット本体部と連結部材とを有し、ナット本体部の雌ねじ部よりも前記移動フード部寄りに延伸部が設けられ、該延伸部はその内面に係合用凹部を設け、該延伸部内面と前記筒状リールシート本体との間に空間を設けており、該空間内には、半環状のばね部材が環状支持部材に保持されたユニット品が挿入配設されており、該ばね部材の凸部が前記係合用凹部を所定力で離脱可能に半径方向に押圧しつつ係合しており、前記連結部材の一端部は前記移動フード部の端部に相対回転自在に係合し、他端部は前記延伸部の内面側に接着固定又は相対回転自在に係合され、該他端部と前記ナット本体部の雌ねじ部との間に前記ユニット品が配設されていることを特徴とするリール装着式釣竿を提供する。
【０００６】
ばね部材がナット部の内面と筒状リールシート本体との間に設けられているため、このばね部材はナット部というカバー部材によって覆われているため露出しておらず、外部から砂等の侵入を防止できると共に、半径方向内側のばね部材が外側のカバー部材であるナット部と係合して音響させるため、響きがよく、クリック音が聞き取り易い。更に、ばね部材は半径方向に押圧力を作用させるため、リール脚固定の反力を受け難く、係合力の安定した係合が可能となり、ナット部が弛んだ際に充分なクリック音が発生し易い。
雌ねじ部は部材の半径方向の厚さをねじ形成のために費やすが、ここを除き、移動フードとの間ではこうした必要性がなく、係合部を形成し易く、ばね部材と併せたクリック機構を配設し易い。
移動フード部側に位置する部分を連結部材として別体に形成することによって、連結部材の組み立てられていないナット本体部にクリック機構のユニット品を容易に組み込め、こうして組み込んだ後に連結部材をナット本体部に組み立ててナット部を完成することができる。従って、製造が容易になる。
【０００７】
請求項２では、前記係合用凹部が金属製である請求項１記載のリール装着式釣竿を提供する。
金属製部材であるため、クリック音が聞き取り易い音となる。
【０００８】
【発明の実施の形態】
以下、本発明を添付図面に示す形態例に基づき、更に詳細に説明する。
図１は本発明に係るリール装着式釣竿の要部を示す側面図であり、図２はＢ−Ｂ矢視線による拡大横断面図、図３は部位Ｃの拡大縦断面図である。合成樹脂製の筒状のリールシート本体１１２を、繊維強化樹脂製の中空竿杆、即ち、竿管１０に対して套嵌させ、接着等によって固定している。所定位置には開口１１４Ｋを有する固定フード部１１４が設けられ、これに対向するように開口１１６Ｋを有する移動フード部１１６がナット部１１８の回動によって長手方向に移動自在に構成されている。
【０００９】
即ち、リールシート本体１１２の所定位置には表面に雄ねじが形成されており、ナット部１１８の内面にはこれに螺合する雌ねじ１１８Ｎが形成されている。また、リールシート本体１１２には長手方向に溝１１２Ｍ’が形成されており、一方、移動フード部１１６にはこの溝に係合してスライド可能に凸部１１６Ｋが形成されている。移動フード部とナット部とは図３で説明するように相対回転可能に係合されている。従って、ナット部の回転に伴って移動フード部１１６が前後に移動し、リールの脚を固定したり開放できる。
【００１０】
図３に示す形態例では、ナット部はナット本体部１１８と連結部材１２０とを有しており、共に回転する。連結部材の一端部の連結凹凸部１２０Ａは移動フード部１１６の端部に相対回転自在に係合しており、他側端部の連結凹凸部１２０Ｂはナット本体部１１８の端部に係合すると共に接着固定している。このように連結部材１２０を用いるのは後述のクリック機構の組み込み作業を容易にする等の目的からである。１２２はステンレス等の板状金属部材のリングであり、樹脂製の連結部材１２０とナット本体部１１８との連結を強固ならしめると共に、接続部位を覆って美観を向上させている。
【００１１】
ナット本体部（ナット部）１１８の雌ねじ部１１８Ｎの連結部材側延伸部は厚さ方向（半径方向）内側が削られており、ここに前記連結部材１２０が配設されていると共に、該連結部材と雌ねじ部との間位置に空間を設けている。ここにクリック機構を配設している。即ち、図１にも示されているように、ナット部はその外径を比較的大きく設定し易く、このため径方向に作用するクリック機構を内部に配設し易い。クリック機構は、ナット本体部１１８の内面に設けた係合部としての凹部１１８Ｋと、弾性手段として該凹部に係合すると共に、所定の力で離脱可能な半環状のばね部材１２６と、このばね部材を支持する環状支持部材１２４とを具備する。
【００１２】
図６は、図２の断面図において、上記環状支持部材１２４のみを描いた（ａ）とそのＦ矢視線による側面図である（ｂ）とを並列させている。２個のリング部１２４Ａ，１２４Ｂを下部連結部１２４Ｃと、上部連結部１２４Ｋと、左右の連結部１２４Ｄ，１２４Ｅとで連結した構造としている。この図２に示すように、ばね部材１２６はその両端部近くの外側表面を前記連結部材１２４Ｄ，１２４Ｅの内側表面１２４Ｓ，１２４Ｓ’に当接させて保持されている。こうして環状支持部材１２４がばね部材１２６を保持したユニット品を、ナット本体部１１８の上述の位置に挿入配設し、この状態のナット本体部の端部に、既述の如く連結部材１２０を組み込んで固定させる。従って、クリック機構の組み込みが極めて容易になる。
【００１３】
図２に明示されているように、クリック機構の環状支持部材１２４の上部連結部材１２４Ｋは内方に突出しており、一方、リールシート本体１１２には、前記溝１１２Ｍ’に続き、より小さな半径位置に溝１１２Ｍが設けられており、この溝に係合し、ナット部の回転時に連れ回りすることなく、長手方向に移動するのみである。既述の如く、ナット本体部１１８内面には、係合部としての凹部１１８Ｋが円周方向に同じピッチで多数設けられている。前記ばね部材の中央位置の凸部１２６Ｔがこの凹部を径方向に常時押圧している。リール脚を装着固定するために、釣人の手でナット部を回動させると、凸部１２６Ｔと凹部１１８Ｋとの係合離脱の過程で、所謂クリック音を発生させ、締結の節度感が得られる。
【００１４】
また、一旦、リール脚を固定した際には、この凸部と凹部の係合は、ナット部の弛み止めとなり、リール脚固定の不用意な弛みを防止する。もし弛んだ際には、釣人はそのクリック音で弛みを認識できる。更には、このクリック機構はナット部であるカバー部材の内側に存在し、ここに外部から砂等が侵入することを防止できると共に、半径方向内側のばね部材が外側のカバー部材であるナット部と係合して音響させるため、響きがよく、クリック音が聞き取り易い。更に、ばね部材は径方向に押圧力を作用させるため、リール脚固定の反力を受け難く、係合力の安定した係合が可能となり、ナット部が弛んだ際に充分なクリック音が発生し易い。
【００１５】
ばね部材１２６は、環状支持部材１２４の薄い連結部材１２４Ｄ，１２４Ｅの内側表面であって、夫々が斜め下の下部連結部１２４Ｃの方向に向かった傾斜状の案内面１２４Ｓ，１２４Ｓ’によって支持案内されている。このため、ばね部材１２６は常時上方にばね力を作用させており、このため、ナット部の凹部１１８Ｋを押圧し、ナット部の回転時にばね部材が上記案内面に沿って押し下げられても、隣の凹部内に再び押し上げられて係合する。
【００１６】
図４は、図３の第１形態例の変形例である第２形態例であり、相違点を主体に説明する。移動フード部１１６と相対回転自在に連結している連結部材１２０’は、移動フード部側の端部の連結凹凸部１２０Ａ’によって移動フード部と回転自在に係合しており、他端部の連結凹凸部１２０Ｂ’はステンレス等の金属製の第３部材１１９の連結凹凸部１１９Ａと係合して接着等によって固定されている。この第３部材１１９の他端部の連結凹凸部１１９Ｂは内面に雌ねじ１１８Ｎ’の設けられたナット本体部１１８’の端部に係合して接着等によって固定されている。移動フード部と直接係合している連結部材１２０’は回転自在であるため、ナット部の一部であるがナット本体部の一部ではなく、また、第３部材１１９は移動フード部１１６に直接に係合していないため、連結部材ではなくてナット本体部１１８’の一部とする。
【００１７】
ナット部のねじ部１１８Ｎ’と連結部材１２０’とを除き（従って、移動フード部のナット部側の端部との連結機構部を除いている）、これらの間空間にクリック機構を配設している。前記金属製第３部材１１９は、図示の如く、ナット本体部１１８’の外面に沿った大きな半径位置に配設されており、係合部１１９Ｋはその第３部材１１９の内面に設けられており、金属製のばね部材１２６との係合でクリック音がより聞き取り易く（高音に）響く。
【００１８】
第３部材はクリック機構にとってカバー部材となっており、砂等の侵入を防止でき、また、金属製であるため第１形態例のような樹脂製の場合よりもより薄く形成でき、その分内面側に大きな空間が確保でき、クリック機構の配設空間が大きく確保できるため、半径方向に大きくなる構造も採用し易い。逆に言えば、竿管１０の直径が強度設計上等の理由で大きくなっており、このためリール固定装置の構造にも径方向寸法の制約がある場合等には、係合部１１９Ｋ領域がより薄くできる第２形態例は非金属製（合成樹脂等の）第１形態例よりも好ましい。
【００１９】
図５は参考例であり、第１形態例に対して相違するところを主体に説明する。図３のナット本体部１１８の移動フード部側延伸部が無くなり、それに代わって連結部材１２０が図５のように延伸したと考える。即ち、連結部材１２０”は移動フード部１１６の端部と連結凹凸部１２０Ａ”によって回動自在に係合しており、他端部側がナット本体部１１８”の外表面に向かって傾斜状に半径を大きくしつつ延伸し、更に、その端部を伸ばして連結凹凸部１２０Ｂ’をナット本体部１１８”に外側から係合し、接着等によって固定している。従って、この場合、クリック機構は連結部材１２０”の内面と竿管側のリールシート本体１１２との間に配設されている。
【００２０】
ナット本体部１１８”と共に回転する連結部材１２０”はナット部の一部であり、また、移動フード部のナット部側端部との連結凹凸部１２０Ａ”領域である連結機構部とナット本体部１１８”の雌ねじ１１８Ｎ”とを除いた間にクリック機構が配設されている。従って、第３形態例も本願の形態例である。１２２と１２８はステンレス製等のリング部材であり、美観に寄与すると共に、ナット部を回転させてリール脚を締め付ける際に、樹脂製等の連結部材が移動フード部１１６の端部に押圧されて変形することを防止し、また、樹脂製等のナット本体部１１８”が連結部材に押圧されて変形することを防止するためでもある。
【００２１】
この参考例のように連結部材１２０”の、移動フード部から遠い側の連結凹凸部１２０Ｂ”がナット本体部１１８”に外側から係合する構造とすれば、第１、第２の形態例と比較すれば判るように、その連結凹凸部１２０Ｂ” との連結長さ分程度クリック機構の配設空間が増加する。言い換えれば、その分、ナット部とリールシート本体との螺合部の長さを長くできる。或いは、螺合長さも同じとすれば、その分短くできる。
【００２２】
以上では、連結部材がナット本体部と共に回転する場合を例示したが、参考例としては、ナット本体部が連結部材に対して相対回転する構造もあり得る。即ち、例えば、図３において、連結部材１２０を移動フード部１１６に対して係合させて接着等によって固定し、他方、連結凹凸部１２０Ｂをナット本体部１１８に対して相対回転自在に係合させる。この場合の連結部材はナット部の一部ではなく、移動フード部の一部となる。更に、この場合の連結部材をクリック機構の環状支持部材１２４と一体に形成することもできる。以上の他の形態例においても同様である。
また、クリック機構はナット部の移動フード側とは反対側の端部に設けることもできる。
【００２３】
図７から図９は他の参考例を示す図であり、図７はリール装着部の側面図、図８はその要部縦断面図、図９は図８の矢視線Ｅ−Ｅによる横断面図である。竿管１０に対して接着等によって一体化固定されている筒状の本体部３２の前側所定位置（この図では下側）にリール脚３０の一端部を受け入れる開口３４Ｋを有する固定フード部３４が一体形成されており、これに対向して開口３６Ｋを有する移動フード部３６が前後動可能に設けられている。この移動フード部３６は本体部に設けた空間部３２Ｋを区画形成する壁部に規制されて前後動する。
【００２４】
また、上記移動フード部の後部には雄ねじが形成されており、ナット部３８がこれに螺合している。このナット部は本体部３２の後端に固定されたカバー部材４６と本体部の段差部との間に配設されており、この間において回転可能である。従って、ナット部を回転させても前後移動はしないため、これに螺合している移動フード部３６が前後に移動する。この１対のフード部でリールの脚を固定する。４０はデザインを兼ねたナット部端面の摩耗防止リングである。
【００２５】
この形態例では移動フード部とは逆側のナット部端部位置にナット部の不用意な弛みの防止装置が設けられている。即ち、ナット部内周部には交互に凹凸になった係合部４４が形成されており、一方、本体部３２に設けられた１対の突出部３２Ａ，３２Ａ’（両突出部を結べば直径から離れた弦となる位置に設けられている）に、曲げられた板ばね部材４２の両端部外周が押圧当接して、図９の左右方向には広がらないように規制されているが、ばね部材はその反力で押圧保持されている。
【００２６】
また、折曲げ凸部４２Ｔはナット部の係合部４４に係合しているため、ナット部の不用意な弛み止めとなる。この凸部４２Ｔの基部は本体部３２からの１対の突出部３２Ｔ，３２Ｔ’によって左右方向への移動が規制されており、ナット部を回転させれば、図９の状態からでは、ばね部材は係合部の凹部から押出されて隣の凸部に乗り上げることにより図９の下方、即ち、凸部４２Ｔの頂点とナット部の回転中心とを結ぶ方向に下がるが、１対の突出部３２Ａ，３２Ａ’が直径から離れた弦となる位置に設けられているため、ばね部材が下がればそれに応じて上方に向う反力が生じ、再びナット部の隣の凹部に係合する。
【００２７】
この凹部から隣の凹部に移動する際に、ばね部材の弾性変形を伴う係合凹凸部との衝突によってクリック音が生ずる。この際にばね部材を拘束規制するのは１対の突出部３２Ｔ，３２Ｔ’と１対の突出部３２Ａ，３２Ａ’だけであり、その他の領域は振動変形自由であるため、大きな音を発生でき、もし、ばね部材の折曲げ凸部４２Ｔとナット部の係合部４４との係合が外れる大きさの外力を受け、弛んでナット部が回転すれば、釣人はナット部３８の弛んだことを耳で感知できる。また、クリック音はリール脚を固定する方向へのナット部の回転の際にも生じる。
【００２８】
この場合のナット部の不用意な回転の防止装置（クリック機構）も、ばね部材は径方向に押圧力を作用させて移動フード部とは接触しておらず、リール脚固定の反力を受け難く、係合力の安定した係合が可能となり、ナット部が弛んだ際に充分なクリック音が発生し易い。また、ナット部というカバー部材で覆われているため、砂等の侵入を防止でき、美観に優れ、響きがよく、クリック音が聞き取り易い。
【００２９】
図１０と図１１とは他の参考例を示し、図１０は竿管１０のリール装着部近くの要部縦断面図であり、図１１は矢視線Ｐ−Ｐによる拡大横断面図である。竿管１０に固定される本体部１２には、後部の開口５４Ｋを有する固定フード部５４が一体化されており、この下方位置にトリガー５０が一体形成されている。本体部１２の先部外周には雄ねじ部が形成されており、この雄ねじ部に螺合する雌ねじ部を設けたナット部（ナット本体部）５８が前記雄ねじ部に螺合している。
【００３０】
該ナット部の前記固定フード部側の端部には、環状の開口５６Ｋを有する移動フード部５６が回転自在に係合し、これを接着等によって固定している。ここでは開口５６Ｋが円周方向全体に亘って設けられており、ナット部と共に回転しながら前後動する。組み立ての都合上このように分割構成されている。この移動フード部は回転する必要はなく、前記接着固定をしないでナット部のみを回転させ、該移動フード部５６は前後動のみさせてもよい。参照番号８０は尻栓部材である。
【００３１】
前記雄ねじ部には縦溝を一条設けており、この溝に係合する係止条部２０Ｔ’を内面部に設けた樹脂製の環状部材２０’が、前記ナット部材の内部空間に配設され、前記縦溝に係止して本体部に対して回転せず縦方向に移動可能に組み込まている。図１１に示すように、この環状支持部材の中には、板ばね部材２２’が、部材自身のばね力によってその両端部が外側から押圧されることによって保持されており、中央位置の凸部２２Ｔ’が環状支持部材の外側に突出している。
【００３２】
ナット部材５８の内周は凹凸係合部２４’に形成されており、板ばね部材２２’の凸部２２Ｔ’が係合しており、板ばね部材は図９において説明した板ばね部材４２と同じ理由で同様に作動する。この板ばね部材２２’は、図９の場合の板ばね部材４２と同様に、支持されている部位が僅かであり、その他の部位はこの支持領域より長く、自由な領域であるため、クリック音が大きくなる。ナット部材５８の外周であって、環状支持部材２０’の配設されている部位の外周部に、金属製の管状部材５９が螺着されており、外観を向上させると共に、クリック音が響き易い。また、その他の領域には天然コルクやジュラコルク（商品名）の発泡性部材５８Ｇを設けて握り性を向上させている。
この第６形態例もナット部であるカバー部材に覆われており、他の形態例と同様な効果を有する。
【００３３】
【発明の効果】
以上の説明から明らかなように本発明によれば、リール脚固定の不用意な弛みを防止すると共に外部から砂等の侵入を防止でき、もし弛んだ際にそのことを認識し易い構造のリール装着式釣竿が提供できる。
【図面の簡単な説明】
【図１】  図１は本発明に係る釣竿の要部側面図である。
【図２】  図２は図１の矢視線Ｂ−Ｂによる拡大横断面図である。
【図３】  図３は図１のＣ部の拡大縦断面図である。
【図４】  図４は図３に代わる第２形態例の要部縦断面図である。
【図５】  図５は参考例の要部縦断面図である。
【図６】  図６は第１と第２の形態例と、参考例に使用のクリック機構の一部品図である。
【図７】  図７は他の参考例の釣竿の要部側面図である。
【図８】  図８は図７の要部縦断面図である。
【図９】  図９は図８の矢視線Ｅ−Ｅによる横断面図である。
【図１０】  図１０は他の参考例の釣竿の要部縦断面の側面図である。
【図１１】  図１１は図１０の矢視線Ｐ−Ｐによる拡大横断面図である。
【符号の説明】
１１６                移動フード部
１１８                ナット本体部（ナット部の一部）
１１８Ｋ              係合部
１２０                連結部材（ナット部の一部）
１２６                ばね部材（弾性手段）
１２０Ａ              連結凹凸部（連結機構部の一部）
【図１】
0003707593.tif 000002
【図２】
0003707593.tif 000003
【図３】
0003707593.tif 000004
【図４】
0003707593.tif 000005
【図５】
0003707593.tif 000006
【図６】
0003707593.tif 000007
【図７】
0003707593.tif 000008
【図８】
0003707593.tif 000009
【図９】
0003707593.tif 000010
【図１０】
0003707593.tif 000011
【図１１】
0003707593.tif 000012